(57)【特許請求の範囲】
【請求項１】
空調機器・配管類の如き吊り構造物を吊下げるために天井スラブやデッキプレートの如き天井躯体から吊下固定される吊りボルトに取り付けて、該吊りボルトに作用する振動負荷を低減させて振動を抑制する構成の吊りボルトの振動抑制体において、
該振動抑制体が、前記天井躯体の下面に取付固定される取付固定部と、前記吊りボルトの外周に囲繞状態で当接する当接部と、該取付固定部と該当接部とを連結する連結部とを有する構成であり、
前記連結部が少なくとも弾性を有しており、前記吊りボルトに対して振動エネルギーが入力された際に、前記連結部が有する弾性が入力された振動エネルギーの振動方向と逆方向に付勢力を発揮することによって前記振動エネルギーを抑制乃至は消滅させる構成であり、
更に、前記吊りボルトの外周に対する当接部の当接面の上端及び／又は下端が曲面で接する構成であること、
を特徴とする吊りボルトの振動抑制体。
【請求項２】
取付固定部と当接部と連結部が、一枚の弾性板状材から形成された構成であることを特徴とする請求項１に記載の吊りボルトの振動抑制体。
【請求項３】
一枚の弾性板状材が、エ字状又はコ字状の形状を有し、
このエ字状又はコ字状の上側の横線部分を縦線部分に対して後方側に折曲げて天井躯体の下面に固定される取付固定部を形成し、
下側の横線部分を縦線部分に対して前方側であって且つ吊りボルトの外周を囲繞状態で当接するように曲げ加工して当接部を形成する構成であること、
を特徴とする請求項２に記載の吊りボルトの振動抑制体。
【請求項４】
当接部の内面に、吊りボルトの外周に当接する凸条が設けられた構成であることを特徴とする請求項１〜３のいずれかに記載の吊りボルトの振動抑制体。
【請求項５】
凸条が、当接部の少なくとも一部をプレス成形によって設けられた構成であることを特徴とする請求項４に記載の吊りボルトの振動抑制体。
【請求項６】
凸条が、当接部の一部を切起し成形することによって設けられた構成であることを特徴とする請求項４に記載の吊りボルトの振動抑制体。
【請求項７】
当接部の内面に、吊りボルトの外周に当接する弾性材料を配設した構成であることを特徴とする請求項３に記載の吊りボルトの振動抑制体。
【請求項８】
連結部が、吊りボルトの軸方向と同方向である長手方向に補強リブを有する構成であることを特徴とする請求項１〜７のいずれかに記載の吊りボルトの振動抑制体。
【請求項９】
補強リブが、連結部の少なくとも一部をプレス成形によって設けられた構成であることを特徴とする請求項８に記載の吊りボルトの振動抑制体。
【請求項１０】
補強リブが、当接部の一部を折曲成形によって設けられた構成であることを特徴とする請求項７に記載の吊りボルトの振動抑制体。
【請求項１１】
当接部が、連結部に連設されると共に円弧形状を有する当接基部と、該当接基部と結合することによって吊りボルトの外周を囲繞可能な円形と成る円弧形状を有する当接先部と、の２部材構成であることを特徴とする請求項１〜１０のいずれかに記載の吊りボルトの振動抑制体。
【請求項１２】
当接基部と当接先部との結合構成が、いずれか一方に設けられた掛止部と他方に設けられた被掛止部との掛止によって結合する構成であることを特徴とする請求項１１に記載の吊りボルトの振動抑制体。
【請求項１３】
当接基部と当接先部との結合構成が、いずれか一方に設けられた嵌合部と他方に設けられた被嵌合部との嵌合によって結合する構成であることを特徴とする請求項１１に記載の吊りボルトの振動抑制体。
【請求項１４】
当接基部と当接先部との結合構成が、両者の両端部同士が重層する重層部を設け、この重層部をネジ固定によって結合する構成であることを特徴とする請求項１１に記載の吊りボルトの振動抑制体。
【請求項１５】
当接基部と当接先部との結合構成が、結合する端部のいずれか一方が組式又は蝶番式の接続部により拡開可能であり、他方が掛止・嵌合・ネジ固定のいずれかの接続構成によって結合する構成であることを特徴とする請求項１１に記載の吊りボルトの振動抑制体。
【請求項１６】
板状材の下部の吊りボルトに当接する位置が、吊りボルトに吊り構造物を取り付けた部分の上方近傍位置であることを特徴とする請求項１〜１５のいずれかに記載の吊りボルトの振動抑制体。
【請求項１７】
板状材の吊りボルトの外周に当接する部分に、該吊りボルトの凸条及び凹条から成るネジ溝に噛合う凹部及び／又は凸部が設けられている構成であることを特徴とする請求項１〜１６のいずれかに記載の吊りボルトの振動抑制体。
【発明の詳細な説明】
【技術分野】
【０００１】
本発明は吊りボルトの振動抑制体に関し、詳しくは天井躯体から空調機器・配管類等の吊り構造物を吊り下げる吊りボルトの振動を抑制する振動抑制体に関する。
【背景技術】
【０００２】
ビル等の建築物の天井スラブやデッキプレートの如き天井部分には、空調機器の室内ユニット・配管類等の種々の設備機器が配設されている。これらの設備機器は、天井スラブやデッキプレート等の天井躯体に吊下固定されている吊りボルトに固定することによって天吊り支持される場合が一般的である。例えば、図７は４本の吊りボルトによって天吊り支持された空調機器の屋内ユニットであり、４本の吊りボルトの各々の上端は天井躯体にアンカー等を用いて埋込固定されている。
【０００３】
これらの天吊り支持される構造物（本明細書においては吊り構造物と言う）は、地震時には建築物の耐震構造・免振機構によって建築物そのものの損傷等は免れるように構成されているが、天吊りされている吊り構造物の揺れや振動の発生を防ぐまでには至っていない。
【０００４】
従って、吊り構造物を天吊りする吊りボルトに振動負荷が作用することになり、変形や破断が生じてしまう場合があるという問題点を有していた。
【０００５】
本発明者の研究によれば、吊りボルトの変形や破断は特に天井躯体に固定された根元部分に応力が集中することによって発生することが多いことが判った。
【０００６】
そこで、吊りボルトを一本構成とするのではなく根元部分において分断し、この分断部分に前後左右方向等に揺れを許容する連結部材を介在させることによって根元部分における吊りボルトの変形や破断を回避する構成が提案されている（例えば、特許文献１参照）。
【先行技術文献】
【特許文献】
【０００７】
【特許文献１】特開２０１４−０３１６９４号
【発明の概要】
【発明が解決しようとする課題】
【０００８】
しかし特許文献１の技術では、吊りボルトの根元部分における変形や破断を防ぐことはできるものの、特に大きな揺れが発生した場合には吊り構造物を充分に保護することができずに破損させたり、酷い場合には脱落・落下させてしまう場合も考えられる。
【０００９】
そこで本発明の課題は、吊りボルトの振動を抑制して該吊りボルトの変形や破損を防止すると共に吊り構造物の揺れを抑制することができる吊りボルトの振動抑制体を提供することにある。
【課題を解決するための手段】
【００１０】
上記課題を解決する本発明は下記構成を有する。
【００１１】
１．空調機器・配管類の如き吊り構造物を吊下げるために天井スラブやデッキプレートの如き天井躯体から吊下固定される吊りボルトに取り付けて、該吊りボルトに作用する振動負荷を低減させて振動を抑制する構成の吊りボルトの振動抑制体において、
該振動抑制体が、前記天井躯体の下面に取付固定される取付固定部と、前記吊りボルトの外周に囲繞状態で当接する当接部と、該取付固定部と該当接部とを連結する連結部とを有する構成であり、
前記連結部が少なくとも弾性を有しており、前記吊りボルトに対して振動エネルギーが入力された際に、前記連結部が有する弾性が入力された振動エネルギーの振動方向と逆方向に付勢力を発揮することによって前記振動エネルギーを抑制乃至は消滅させる構成であり、
更に、前記吊りボルトの外周に対する当接部の当接面の上端及び／又は下端が曲面で接する構成であること、
を特徴とする吊りボルトの振動抑制体。
【００１３】
２．取付固定部と当接部と連結部が、一枚の弾性板状材から形成された構成であることを特徴とする上記１に記載の吊りボルトの振動抑制体。
【００１４】
３．一枚の弾性板状材が、エ字状又はコ字状の形状を有し、
このエ字状又はコ字状の上側の横線部分を縦線部分に対して後方側に折曲げて天井躯体の下面に固定される取付固定部を形成し、
下側の横線部分を縦線部分に対して前方側であって且つ吊りボルトの外周を囲繞状態で当接するように曲げ加工して当接部を形成する構成であること、
を特徴とする上記２に記載の吊りボルトの振動抑制体。
【００１５】
４．当接部の内面に、吊りボルトの外周に当接する凸条が設けられた構成であることを特徴とする上記１〜３のいずれかに記載の吊りボルトの振動抑制体。
【００１６】
５．凸条が、当接部の少なくとも一部をプレス成形によって設けられた構成であることを特徴とする上記４に記載の吊りボルトの振動抑制体。
【００１７】
６．凸条が、当接部の一部を切起し成形することによって設けられた構成であることを特徴とする上記４に記載の吊りボルトの振動抑制体。
【００１８】
７．当接部の内面に、吊りボルトの外周に当接する弾性材料を配設した構成であることを特徴とする上記３に記載の吊りボルトの振動抑制体。
【００１９】
８．連結部が、吊りボルトの軸方向と同方向である長手方向に補強リブを有する構成であることを特徴とする上記１〜７のいずれかに記載の吊りボルトの振動抑制体。
【００２０】
９．補強リブが、連結部の少なくとも一部をプレス成形によって設けられた構成であることを特徴とする上記８に記載の吊りボルトの振動抑制体。
【００２１】
１０．補強リブが、当接部の一部を折曲成形によって設けられた構成であることを特徴とする上記７に記載の吊りボルトの振動抑制体。
【００２２】
１１．当接部が、連結部に連設されると共に円弧形状を有する当接基部と、該当接基部と結合することによって吊りボルトの外周を囲繞可能な円形と成る円弧形状を有する当接先部と、の２部材構成であることを特徴とする上記１〜１０のいずれかに記載の吊りボルトの振動抑制体。
【００２３】
１２．当接基部と当接先部との結合構成が、いずれか一方に設けられた掛止部と他方に設けられた被掛止部との掛止によって結合する構成であることを特徴とする上記１１に記載の吊りボルトの振動抑制体。
【００２４】
１３．当接基部と当接先部との結合構成が、いずれか一方に設けられた嵌合部と他方に設けられた被嵌合部との嵌合によって結合する構成であることを特徴とする上記１１に記載の吊りボルトの振動抑制体。
【００２５】
１４．当接基部と当接先部との結合構成が、両者の両端部同士が重層する重層部を設け、この重層部をネジ固定によって結合する構成であることを特徴とする上記１１に記載の吊りボルトの振動抑制体。
【００２６】
１５．当接基部と当接先部との結合構成が、結合する端部のいずれか一方が組式又は蝶番式の接続部により拡開可能であり、他方が掛止・嵌合・ネジ固定のいずれかの接続構成によって結合する構成であることを特徴とする上記１１に記載の吊りボルトの振動抑制体。
【００２７】
１６．板状材の下部の吊りボルトに当接する位置が、吊りボルトに吊り構造物を取り付けた部分の上方近傍位置であることを特徴とする上記１〜１５のいずれかに記載の吊りボルトの振動抑制体。
【００２８】
１７．板状材の吊りボルトの外周に当接する部分に、該吊りボルトの凸条及び凹条から成るネジ溝に噛合う凹部及び／又は凸部が設けられている構成であることを特徴とする上記１〜１６のいずれかに記載の吊りボルトの振動抑制体。
【発明の効果】
【００２９】
請求項１に示す発明によれば、吊りボルトの振動を抑制して該吊りボルトの変形や破損を防止すると共に吊り構造物の揺れを抑制することができる吊りボルトの振動抑制体を提供することができる。
【００３０】
特に、振動抑制体の板状材の吊りボルトの外周への当接箇所が形成する多角形内に前記吊りボルトの中心が含まれる位置にあるように当接する構成によって、吊りボルトに入力される振動エネルギーの振動方向が３６０度全周のどの方向であっても、振動エネルギーの振動エネルギーと逆方向に板状材の付勢力が発揮されるので、振動エネルギーを抑制乃至は消滅させることができる。従って、吊りボルトの根元部にかかる負荷を著しく軽減することができ、該吊りボルトの変形や破損を防止することができる。
【００３１】
請求項２に示す発明によれば、当接部と吊りボルトとの当接端が面接触する構成によって、この当接端への振動エネルギーの応力集中を避けることができるので、吊りボルトの根元部のみならず、この当接端における吊りボルトの変形や破損を防止することができる。
【００３２】
請求項３に示す発明によれば、一枚構成によって低コストで作成することができる。
【００３３】
請求項４に示す発明によれば、簡易な構成によって低コストで作成することができる。
【００３４】
請求項５に示す発明によれば、当接部の強度が向上するので振動エネルギーの抑制乃至は消滅効果が向上する。
【００３５】
請求項６に示す発明によれば、簡易な構成で当接部の強度を向上させることができる。
【００３６】
請求項７に示す発明によれば、簡易な構成で当接部の強度を向上させることができる。
【００３７】
請求項８に示す発明によれば、当接部の当接による振動エネルギーの抑制乃至は消滅効果が向上する。
【００３８】
請求項９に示す発明によれば、連結部の強度が向上するので振動エネルギーの抑制乃至は消滅効果が向上する。
【００３９】
請求項１０に示す発明によれば、簡易な構成で連結部の強度を向上させることができる。
【００４０】
請求項１１に示す発明によれば、簡易な構成で連結部の強度を向上させることができる。
【００４１】
請求項１２、１３、１４、１５又は１６に示す発明によれば、吊りボルトの下方からではなく側方から振動抑制体を取り付けることができるので、吊り構造物が既に吊下固定された既設の吊りボルトに対しても吊り構造物を取り外すことなく振動抑制体を取り付けることができる。従って、この後付け施工によって施工工期の短縮化及び施工コストの低コスト化を図ることができる。
【００４２】
請求項１７に示す発明によれば、吊り構造物の取付位置に近い位置での振動エネルギーの抑制を図ることができるので、吊りボルトの変形や破損をより防止することができる。
【００４３】
請求項１８に示す発明によれば、吊りボルトに対する振動抑制体の当接面積が増大することになると共に、該吊りボルト軸方向への板状体の当接部分の位置ズレが抑制されるので、振動エネルギーの抑制乃至は消滅効果が著しく向上する。
また、吊りボルトと板状材との当接部分の噛合せにより、振動エネルギーに対向する板状材の付勢力が、該振動エネルギーの逆方向に加えて、吊りボルトのネジ溝の螺旋方向においても発揮されるので、振動エネルギーの抑制乃至は消滅効果が更に一段と向上する。
【図面の簡単な説明】
【００４４】
【図１】本発明に係る吊りボルトの振動抑制体の一実施例を示す説明側面図（一部断面）
【図２】吊りボルトに対する振動抑制体の当接部の当接状態の一例を示す図１のＩＩ−ＩＩ線端面図
【図３】図１に示す振動抑制体の斜視図
【図４】図１に示す振動抑制体の成形前状態の一例を示す展開図
【図５】振動抑制体の成形前状態の他の例を示す展開図
【図６】連結部に設けられる補強リブの構成例を示す要部断面図
【図７】当接部の結合構成の一例を示す要部説明平面図
【図８】当接部の結合構成の一例を示す要部説明側面図
【図９】当接部の結合構成の一例を示す要部説明平面図
【図１０】当接部の結合構成の一例を示す要部説明平面図
【図１１】吊り構造物の天吊り支持構成の一例を示す概略説明斜視図
【発明を実施するための形態】
【００４５】
次に、添付の図面に従って本発明を説明する。
【００４６】
本発明に係る吊りボルトの振動抑制体（以下、振動抑制体と言うこともある。）は、天井躯体から、例えば、図７に示すように空調機器・配管類等の吊り構造物４を吊り下げる吊りボルト３・３・３・３の振動を抑制する技術であり、その具体的な構成例としては、図１〜図３に示すように、
吊り構造物４を吊下げるために天井スラブやデッキプレートの如き天井躯体２から吊下固定される吊りボルト３に取り付けて、該吊りボルト３に作用する振動負荷を低減させて振動を抑制する構成の吊りボルトの振動抑制体１において、
該振動抑制体１が、前記天井躯体２の下面２１に取付固定される取付固定部１１と、前記吊りボルト３の外周に囲繞状態で当接する当接部１２と、該取付固定部１１と該当接部１２とを連結する連結部１３とを有する構成であり、
前記連結部１３が少なくとも弾性を有しており、前記吊りボルト３に対して振動エネルギーが入力された際に、前記連結部１３が有する弾性が入力された振動エネルギーの振動方向と逆方向に付勢力を発揮することによって前記振動エネルギーを抑制乃至は消滅させる構成となっている。
【００４７】
以下、本発明の振動抑制体１について更に詳説する。
【００４８】
取付固定部１１は、図１に示すように天井躯体２の下面２１にボルト等の固定手段５によって取付固定される。取付固定部１１には、図３に示すように固定手段挿通用の透孔１１Ａ・１１Ａが形成されている。
【００４９】
当接部１２は、図１〜図３に示すように、その内面に吊りボルト３の外周に当接する凸条１２Ａが設けられた構成であることが好ましく、更に好ましくは吊りボルト３の外周に対する当接部１２の当接面の上端及び／又は下端（本実施例では上端と下端の両方）が曲面で接する構成である。
【００５０】
当接部１２の内面に凸条１２Ａを設けることによって、該当接部１２の吊りボルト３の外周への当接は当接部１３の上端と下端が曲面で接するように構成することになる。かかる構成によれば、吊りボルト３と当接部１３の当接端が面接触する構成となるので、この当接端への振動エネルギーの応力集中を避けることができ、吊りボルト３の根元部のみならず、この当接端における吊りボルト３の変形や破損を防止することができる。
【００５１】
当接部１２の内面に設けられる凸条１２Ａとしては、例えば、図１〜図３に示す本実施例では当接部１２の一部を内面方向にプレス成形することによって設けている。
【００５２】
上記構成を有する振動抑制体１は、配管支持具に用いられる公知公用の素材である金属製の板状材や合成樹脂製の板状材を用いることができ、該板状材自体が弾性を有する材料であるか、又は弾性を有する他部材を板状材に付加した構成とすることもできるが、最も好ましいのは、代表的な配管支持具である配管支持バンドに用いられるような弾性を有する金属製の板状材である。
【００５３】
取付固定部１１と当接部１２と連結部１３とを有して成る振動抑制体１は、一枚の弾性板状材から形成される構成であることが好ましく、この場合には例えば図４や図５に示すように一枚の弾性板状材１０がエ字状（図４参照）又はコ字状（図５参照）の形状を有するものを用いることができる。
【００５４】
エ字状又はコ字状の形状を有する一枚の弾性板状材１０を用いた場合の振動抑制体１の成形工程の例としては、上側の横線部分を縦線部分に対して後方側に折曲げて天井躯体２の下面２１に固定される取付固定部１１を形成し、下側の横線部分を縦線部分に対して前方側であって且つ吊りボルト３の外周を囲繞状態で当接するように曲げ加工して当接部１２を形成する構成を挙げることができる。尚、エ字状の縦線部分、コ字状の縦線部分が共に連結部１３を形成することになる。
【００５５】
以上の構成を有する本発明の振動抑制体１によれば、吊りボルト３に対して入力される振動エネルギーの振動方向がいかなる方向であっても、吊りボルト３はその外周を当接部１２によって囲繞状態で当接され、且つ、この入力した振動エネルギーに対して振動抑制体１の連結部１３が弾性を有しているため、この弾性による付勢力が前記振動方向とは逆方向に作用することになるので、前記振動エネルギーを抑制乃至は消滅させることが可能となる。
【００５６】
以上の構成を有する本発明の振動抑制体は、例えば、吊りボルト３の端部（下端）から挿通して取り付ける構成となる。
【００５７】
以上、本発明に係る吊りボルトの振動抑制体について実施例に基き説明したが、本発明は上記実施例に限定されず、本発明の範囲内において他の態様を採ることができる。
【００５８】
例えば、当接部１２の内面に設けられる凸条１２Ａは、上記実施例のプレス成形に限らず、当接部１２の一部を切起し成形することによって設けた構成でもよいし、或いは当接部１２の内面に吊りボルト３の外周に当接する弾性材料を固着等によって配設した構成であってもよい。弾性材料の材質としては、合成ゴム、天然ゴム、軟質合成樹脂、これらの混合物等の素材構成を挙げることができる。
【００５９】
また図６に示すように、連結部１３に補強リブを付加することによって、弾性が失われない程度に該連結部１３の強度を向上させることができる。かかる構成によれば、連結部１３の強度向上によって振動エネルギーの抑制乃至は消滅効果が向上する。
【００６０】
連結部１３の強度を向上させる補強リブは、吊りボルト３の軸方向と同方向である長手方向に設けられ、例えば、図６（Ａ）、図６（Ｂ）に示す構成例では、補強リブ１３Ａは連結部１３の少なくとも一部をプレス成形することによって設けている。即ち、図６（Ａ）は連結部１３をトンネル状の彎曲状態にプレス成形した構成となり、図６（Ｂ）は連結部１３をΩ字状の彎曲状態にプレス成形した構成となる。
【００６１】
また、図６（Ｃ）に示す構成例では、補強リブ１３Ａは連結部１３の一部を折曲成形することによって設けている。即ち、連結部１３の一部をＶ字状の鋭角状態に折曲げることによって山形の補強リブ１３Ａとなる。
【００６２】
更に、連結部１３の補強リブ１３Ａはプレス成形や折曲形成に限らず、図６（Ｄ）に示すように連結部材１３とは別部材の補強リブ１３Ａを付加することによって設ける構成とすることもできる。
【００６３】
更に上記実施例では、当接部１２の吊りボルト３外周への当接面は平滑面としていたが、該当接面の表面に、吊りボルト３の凸条及び凹条から成るネジ溝に噛合う凹部及び／又は凸部を設けた構成としてもよい。かかる構成によれば、吊りボルト３に対する振動抑制体１の当接部１３の当接面積が増大することになると共に、該吊りボルト３軸方向への当接部１２の位置ズレが抑制されるので、振動エネルギーの抑制乃至は消滅効果が著しく向上する。
また、吊りボルト３と当接部１２の噛合せにより、振動エネルギーに対向する振動抑制体１の付勢力が、該振動エネルギーの逆方向に加えて、吊りボルト３のネジ溝の螺旋方向においても発揮されるので、振動エネルギーの抑制乃至は消滅効果が更に一段と向上する。
尚、本実施例のように当接部１２の内面に凸条１２Ａを設けた構成の場合には、該凸条１２Ａの当接面に上記の凹部及び／又は凸部を設けた構成とすることが好ましい。
【００６４】
更に、振動抑制体１の当接部１２の吊りボルト３に当接する位置としては、吊りボルト３に吊り構造物４を取り付けた部分の上方近傍位置（図７の符号３Ａで示す位置）とすれば、吊り構造物４の取付位置に近い位置での振動エネルギーの抑制を図ることができるので、吊りボルト３の変形や破損をより防止することができる。
【００６５】
更にまた、上記実施例では、振動抑制体１を吊りボルト３の下方から挿通する構成としていたが、吊りボルト３の下方からではなく側方から振動抑制体１を取り付ける構成とすることもできる。かかる構成によれば、吊り構造物４が既に吊下固定された既設の吊りボルト３に対しても吊り構造物４を取り外すことなく振動抑制体１を取り付けることができるので、この後付け施工によって施工工期の短縮化及び施工コストの低コスト化を図ることができる。
【００６６】
吊りボルト３の側方から振動抑制体１を取付可能な構成としては、例えば、図７〜図１０に示すような構成、即ち、当接部１２が、連結部１３に連設されると共に円弧形状を有する当接基部１２Ｂと、該当接基部１２Ｂと結合することによって前記吊りボルト３の外周を囲繞可能な円形と成る円弧形状を有する当接先部１２Ｃと、の２部材構成である。
【００６７】
図７に示す態様は、当接基部１２Ｂと当接先部１２Ｃとの結合構成が、いずれか一方（本実施例では当接先部１２Ｃ）に設けられた掛止部１２Ｄと他方（本実施例では当接基部１２Ｂ）に設けられた被掛止部１２Ｅとの掛止によって結合する構成である。
【００６８】
図８に示す態様は、当接基部１２Ｂと当接先部１２Ｃとの結合構成が、いずれか一方（本実施例では当接先部１２Ｃ）に設けられた嵌合部１２Ｆと他方（本実施例では当接基部１２Ｂ）に設けられた被嵌合部１２Ｇとの嵌合によって結合する構成である。
【００６９】
図９に示す態様は、当接基部１２Ｂと当接先部１２Ｃとの結合構成が、両者１２Ｂ・１２Ｃの両端部同士が重層する重層部１２Ｈ・１２Ｉを設け、この重層部１２Ｈ・１２Ｉをネジ１２Ｊによるネジ固定によって結合する構成である。
【００７０】
図１０に示す態様は、当接基部１２Ｂと当接先部１２Ｃとの結合構成が、結合する端部のいずれか一方が組式又は蝶番式（本実施例では蝶番式）の接続部１２Ｋにより拡開可能であり、他方が掛止・嵌合・ネジ固定のいずれか（本実施例ではネジ固定）の接続構成１２Ｌによって結合する構成である。
【００７１】
尚、上記の図７〜図１０に示す態様では、当接基部１２Ｂと当接先部１２Ｃは各々が半円の円弧形状であるが、半円と半円の結合に限らず、３分の１の円弧と３分の２の円弧との結合等の様にいずれか一方が短く他方が長い円弧の結合であってもよい。
【符号の説明】
【００７２】
１  振動抑制体
１０  弾性板状材
１１  取付固定部
１１Ａ  透孔
１２  当接部
１２Ａ  凸条
１２Ｂ  当接基部
１２Ｃ  当接先部
１２Ｄ  掛止部
１２Ｅ  被掛止部
１２Ｆ  嵌合部
１２Ｇ  被嵌合部
１２Ｈ  重層部
１２Ｉ  重層部
１２Ｊ  ネジ
１２Ｋ  接続部
１２Ｌ  接続構成
１３  連結部
１３Ａ  補強リブ
２  天井躯体
２１  天井躯体の下面
３  吊りボルト
３Ａ  上方近傍位置
４  吊り構造物
５  固定手段
【図１】
0006031720.tif 000002
【図２】
0006031720.tif 000003
【図３】
0006031720.tif 000004
【図４】
0006031720.tif 000005
【図５】
0006031720.tif 000006
【図６】
0006031720.tif 000007
【図７】
0006031720.tif 000008
【図８】
0006031720.tif 000009
【図９】
0006031720.tif 000010
【図１０】
0006031720.tif 000011
【図１１】
0006031720.tif 000012